(57)【要約】  いくつかの態様では、ヘテロジニアスネットワーク内のセル間の負荷バランシングを実行するための方法が、ネットワーク内のマクロクラスタ内の負荷を測定することを含む。その方法はさらに、不均衡負荷条件を経験している１つまたは複数のマクロクラスタを識別することと、識別されたマクロクラスタ内の１つまたは複数のセルにバランシングインジケータを送信することとを含む。他の態様では、ヘテロジニアスネットワーク内の負荷バランシングを実行するための方法が、マクロクラスタ内のセル負荷を報告することと、バランシングインジケータを監視することとを含む。その方法はさらに、１つまたは複数の条件が満たされるまで、セルのための個別セルオフセットの値を繰返し調整することによって、バランシングインジケータに応答することを含む。例示的な条件は、セルへの、またはセルからの、１つまたは複数の低モビリティユーザ機器（ＵＥ）のハンドオーバを成し遂げることと、個別セルオフセットの値がさらなる調整を禁止するしきい値に達したという決定を行うこととを含む。
2016503272.tif 000002
【特許請求の範囲】
【請求項１】
ヘテロジニアスネットワーク内のセル間の負荷バランシングを実行するための方法であって、
前記ヘテロジニアスネットワーク内の複数のマクロクラスタ内の負荷を測定することと、
不均衡負荷条件を経験している少なくとも１つのマクロクラスタを識別することと、
前記少なくとも１つのマクロクラスタ内の１つまたは複数のセルにバランシングインジケータを送信することとを備える、方法。
【請求項２】
前記負荷は、リソースブロック利用率、サブフレーム利用率、または無線リソース制御（ＲＲＣ）接続数の報告に基づいて測定される、請求項１に記載の方法。
【請求項３】
不均衡負荷条件を経験している前記少なくとも１つのマクロクラスタを識別することは、
前記少なくとも１つのマクロクラスタの少なくとも１つのマクロセルの負荷を識別することと、
前記少なくとも１つのマクロクラスタのピコセルの負荷値を負荷レベルの昇順にソートすることと、
前記少なくとも１つのマクロセルの前記負荷を、最も低い負荷を有する前記少なくとも１つのマクロクラスタの１つのピコセルの負荷と比較することとを備える、請求項１に記載の方法。
【請求項４】
前記比較が、前記少なくとも１つのマクロセルから少なくとも１つのユーザ機器をオフロードするための条件を指示することを決定することと、
所定の時間窓内で前記ピコセルへのオフロードが以前に試みられたことを決定することと、
前記所定の時間窓内でオフロードが試みられなかった前記マクロクラスタの別のピコセルを識別することと、
前記少なくとも１つのマクロセルおよび前記他のピコセルのためのマクロ／ピコオフロードインジケータを調整することとをさらに備える、請求項３に記載の方法。
【請求項５】
前記比較が、前記少なくとも１つのマクロセルに少なくとも１つのユーザ機器をオフロードするための条件を指示することを決定することと、
所定の時間窓内で前記ピコセルからのオフロードが以前に試みられたと決定することと、
前記少なくとも１つのマクロセルに少なくとも１つのユーザ機器をオフロードするための前記条件を満たす前記マクロクラスタの別のピコセルを選択することと、
前記他のピコセルから前記少なくとも１つのマクロセルのためのピコ／マクロオフロードインジケータを調整することとをさらに備える、請求項３に記載の方法。
【請求項６】
マクロセルにわたる負荷不均衡が存在するか否かを決定することと、
マクロセルにわたる前記負荷不均衡が存在するときに、前記マクロセルのうちの１つまたは複数にマクロ／マクロオフロードインジケータを送信することとをさらに備える、請求項１に記載の方法。
【請求項７】
ピコセルにわたる負荷不均衡が存在するか否かを決定することと、
ピコセルにわたる前記負荷不均衡が存在するときに、前記マクロセルのうちの１つまたは複数にピコ／ピコオフロードインジケータを送信することとをさらに備える、請求項６に記載の方法。
【請求項８】
ヘテロジニアスネットワーク内の負荷バランシングを実行するための方法であって、
マクロクラスタ内のセル負荷を報告することと、
１つまたは複数のバランシングインジケータを監視することと、
セルへの、またはセルからの、１つまたは複数の低モビリティユーザ機器（ＵＥ）のハンドオーバが成し遂げられ得るまで、または
個別セルオフセットの値が、さらなる調整を禁止する少なくとも１つのしきい値に達したという決定が行われるまでのうちの少なくとも１つまで、前記セルのための前記個別セルオフセットの前記値を繰返し調整することによって、バランシングインジケータに応答することとを備える、方法。
【請求項９】
前記セル負荷を報告することは、リソースブロック利用率、サブフレーム利用率、または無線リソース制御（ＲＲＣ）接続数のうちの少なくとも１つを報告することを含む、請求項８に記載の方法。
【請求項１０】
前記バランシングインジケータに応答することは、
ピコセルのための個別セルオフセットによる調整後に、前記ピコセルの基準信号受信電力がマクロセルの基準信号受信電力より高い場合には、前記ピコセルの識別を報告するために、前記マクロセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を拡大するために前記ピコセルのための個別セルオフセットを調整し、前記１つまたは複数の低モビリティＵＥのためのさらなる測定報告を構成し、
前記識別を報告する前記ＵＥのうちの１つを選択し、前記選択されたＵＥの前記ピコセルへのハンドオーバを要求することによって、マクロ／ピコオフロードインジケータに応答することを含む、請求項８に記載の方法。
【請求項１１】
前記バランシングインジケータに応答することは、
ピコセルのための個別セルオフセットによる調整後に、マクロセルの基準信号受信電力が前記ピコセルの基準信号受信電力より大きい場合には、前記マクロセルの識別を報告するために、前記ピコセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を縮小するために、前記ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記マクロセルへのハンドオーバを要求することによって、ピコ／マクロオフロードインジケータに応答することを含む、請求項８に記載の方法。
【請求項１２】
前記バランシングインジケータに応答することは、
隣接マクロセルのための個別セルオフセットによる調整後に、前記隣接マクロセルの基準信号受信電力がマクロセルの基準信号受信電力より大きい場合には、前記隣接マクロセルの識別を報告するために、前記マクロセルによってサービングされる１つまたは複数の低モビリティＵＥのための１つまたは複数の測定報告を構成し、
前記低モビリティＵＥがいずれも前記隣接マクロセルの前記識別を報告しないとき、前記隣接マクロセルのセル範囲を縮小するために前記隣接マクロセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接マクロセルへのハンドオーバを要求することによって、マクロ／マクロオフロードインジケータに応答することを含む、請求項８に記載の方法。
【請求項１３】
前記バランシングインジケータに応答することは、
隣接ピコセルのための個別セルオフセットによる調整後に、前記隣接ピコセルの基準信号受信電力がピコセルの基準信号受信電力より大きい場合には、前記隣接ピコセルの識別を報告するために、前記ピコセルによってサービングされる１つまたは複数の低モビリティＵＥのための１つまたは複数の測定報告を構成し、
前記低モビリティＵＥがいずれも前記隣接ピコセルの前記識別を報告しないとき、前記隣接ピコセルの前記セル範囲を拡大するために前記隣接ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接ピコセルへのハンドオーバを要求することによって、ピコ／ピコオフロードインジケータに応答することを含む、請求項８に記載の方法。
【請求項１４】
ヘテロジニアスネットワーク内のセル間の負荷バランシングを実行するための装置であって、
前記ヘテロジニアスネットワーク内の複数のマクロクラスタ内の負荷を測定するための手段と、
不均衡負荷条件を経験している少なくとも１つのマクロクラスタを識別するための手段と、
少なくとも１つのマクロクラスタ内の１つまたは複数のセルにバランシングインジケータを送信するための手段とを備える、装置。
【請求項１５】
負荷を測定するための前記手段は、リソースブロック利用率、サブフレーム利用率、または無線リソース制御（ＲＲＣ）接続数のうちの少なくとも１つの報告に基づいて前記負荷を測定する、請求項１４に記載の装置。
【請求項１６】
不均衡負荷条件を経験している前記少なくとも１つのマクロクラスタを識別するための手段は、
前記少なくとも１つのマクロクラスタの少なくとも１つのマクロセルの負荷を識別するための手段と、
前記少なくとも１つのマクロクラスタのピコセルの負荷値を負荷レベルの昇順にソートするための手段と、
前記少なくとも１つのマクロセルの前記負荷を、最も低い負荷を有する前記少なくとも１つのマクロクラスタの１つのピコセルの負荷と比較するための手段とを備える、請求項１４に記載の装置。
【請求項１７】
マクロセルにわたる負荷不均衡が存在するか否かを決定するための手段と、
マクロセルにわたる前記負荷不均衡が存在するときに、前記マクロセルのうちの１つまたは複数にマクロ／マクロオフロードインジケータを送信するための手段とをさらに備える、請求項１４に記載の装置。
【請求項１８】
ヘテロジニアスネットワーク内の負荷バランシングを実行するための装置であって、
マクロクラスタ内のセル負荷を報告するための手段と、
１つまたは複数のバランシングインジケータを監視するための手段と、
セルへの、またはセルからの、１つまたは複数の低モビリティユーザ機器（ＵＥ）のハンドオーバが成し遂げられ得るまで、または
個別セルオフセットの値が、さらなる調整を禁止する少なくとも１つのしきい値に達したという決定が行われるまでのうちの少なくとも１つまで、前記セルのための前記個別セルオフセットの前記値を繰返し調整することによって、バランシングインジケータに応答するための手段とを備える、ヘテロジニアスネットワーク内の負荷バランシングを実行するための装置。
【請求項１９】
前記セル負荷を報告するための手段は、リソースブロック利用率、サブフレーム利用率、または無線リソース制御（ＲＲＣ）接続数のうちの少なくとも１つを報告するための手段を含む、請求項１８に記載の装置。
【請求項２０】
前記バランシングインジケータに応答するための前記手段は、
ピコセルのための個別セルオフセットによる調整後に、前記ピコセルの基準信号受信電力がマクロセルの基準信号受信電力より高い場合には、前記ピコセルの識別を報告するために、前記マクロセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を拡大するために前記ピコセルのための個別セルオフセットを調整し、前記１つまたは複数の低モビリティＵＥのためのさらなる測定報告を構成し、
前記識別を報告する前記ＵＥのうちの１つを選択し、前記選択されたＵＥの前記ピコセルへのハンドオーバを要求することによって、マクロ／ピコオフロードインジケータに応答するための手段を含む、請求項１８に記載の装置。
【請求項２１】
前記バランシングインジケータに応答するための前記手段は、
ピコセルのための個別セルオフセットによる調整後に、マクロセルの基準信号受信電力が前記ピコセルの基準信号受信電力より大きい場合には、前記マクロセルの識別を報告するために、前記ピコセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を縮小するために、前記ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記マクロセルへのハンドオーバを要求することによって、ピコ／マクロオフロードインジケータに応答するための手段を含む、請求項１８に記載の装置。
【請求項２２】
前記バランシングインジケータに応答するための前記手段は、
隣接マクロセルのための個別セルオフセットによる調整後に、前記隣接マクロセルの基準信号受信電力がマクロセルの基準信号受信電力より大きい場合には、前記隣接マクロセルの識別を報告するために、前記マクロセルによってサービングされる１つまたは複数の低モビリティＵＥのための１つまたは複数の測定報告を構成し、
前記低モビリティＵＥがいずれも前記隣接マクロセルの前記識別を報告しないとき、前記隣接マクロセルのセル範囲を縮小するために前記隣接マクロセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接マクロセルへのハンドオーバを要求することによって、マクロ／マクロオフロードインジケータに応答するための手段を含む、請求項１８に記載の装置。
【請求項２３】
前記バランシングインジケータに応答するための前記手段は、
隣接ピコセルのための個別セルオフセットによる調整後に、前記隣接ピコセルの基準信号受信電力がピコセルの基準信号受信電力より大きい場合には、前記隣接ピコセルの識別を報告するために、前記ピコセルによってサービングされる１つまたは複数の低モビリティＵＥのための１つまたは複数の測定報告を構成し、
前記低モビリティＵＥがいずれも前記隣接ピコセルの前記識別を報告しないとき、前記隣接ピコセルの前記セル範囲を拡大するために前記隣接ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接ピコセルへのハンドオーバを要求することによって、ピコ／ピコオフロードインジケータに応答するための手段を含む、請求項１８に記載の装置。
【請求項２４】
非一時的コンピュータ可読媒体を備え、前記非一時的コンピュータ可読媒体は、
前記ヘテロジニアスネットワーク内の複数のマクロクラスタ内の負荷を測定するためのコードと、
不均衡負荷条件を経験している少なくとも１つのマクロクラスタを識別するためのコードと、
前記少なくとも１つのマクロクラスタ内の１つまたは複数のセルにバランシングインジケータを送信するためのコードとを備える、コンピュータプログラム製品。
【請求項２５】
非一時的コンピュータ可読媒体を備え、前記非一時的コンピュータ可読媒体は、
マクロクラスタ内のセル負荷を報告するためのコードと、
１つまたは複数のバランシングインジケータを監視するためのコードと、
セルへの、またはセルからの、１つまたは複数の低モビリティユーザ機器（ＵＥ）のハンドオーバが成し遂げられ得るまで、または
個別セルオフセットの値が、さらなる調整を禁止する少なくとも１つのしきい値に達したという決定が行われるまでのうちの少なくとも１つまで、前記セルのための前記個別セルオフセットの前記値を繰返し調整することによって、バランシングインジケータに応答するためのコードとを備える、コンピュータプログラム製品。
【請求項２６】
ヘテロジニアスネットワークのネットワーク構成要素であって、前記ネットワーク構成要素は、
少なくとも１つのプロセッサと、
前記少なくとも１つのプロセッサに結合されるメモリとを備え、
前記少なくとも１つのプロセッサは、
前記ヘテロジニアスネットワーク内の複数のマクロクラスタ内の負荷を測定し、
不均衡負荷条件を経験している少なくとも１つのマクロクラスタを識別し、
前記少なくとも１つのマクロクラスタ内の１つまたは複数のセルにバランシングインジケータを送信するように構成される、ネットワーク構成要素。
【請求項２７】
前記負荷は、リソースブロック利用率、サブフレーム利用率、または無線リソース制御（ＲＲＣ）接続数のうちの少なくとも１つの報告に基づいて測定される、請求項２６に記載のネットワーク構成要素。
【請求項２８】
前記少なくとも１つのプロセッサは、
前記少なくとも１つのマクロクラスタの少なくとも１つのマクロセルの負荷を識別することと、
前記少なくとも１つのマクロクラスタのピコセルの負荷値を負荷レベルの昇順にソートすることと、
前記少なくとも１つのマクロセルの前記負荷を、最も低い負荷を有する前記少なくとも１つのマクロクラスタの１つのピコセルの負荷と比較することとによって、不均衡負荷条件を経験している前記少なくとも１つのマクロクラスタを識別するように構成される、請求項２６に記載のネットワーク構成要素。
【請求項２９】
前記少なくとも１つのプロセッサはさらに、
前記比較が、前記少なくとも１つのマクロセルから少なくとも１つのユーザ機器をオフロードするための条件を指示することを決定し、
所定の時間窓内で前記ピコセルへのオフロードが以前に試みられたことを決定し、
前記所定の時間窓内でオフロードが試みられなかった前記マクロクラスタの別のピコセルを識別し、
前記少なくとも１つのマクロセルおよび前記他のピコセルのためのマクロ／ピコオフロードインジケータを調整するように構成される、請求項２８に記載のネットワーク構成要素。
【請求項３０】
前記少なくとも１つのプロセッサは、
前記比較が、少なくとも１つのユーザ機器を前記少なくとも１つのマクロセルにオフロードするための条件を指示すると決定し、
所定の時間窓内で前記ピコセルからのオフロードが以前に試みられたことを決定し、
少なくとも１つのユーザ機器を前記少なくとも１つのマクロセルにオフロードするための前記条件を満たす前記マクロクラスタの別のピコセルを選択し、
前記他のピコセルから前記少なくとも１つのマクロセルのためのピコ／マクロオフロードインジケータを調整するように構成される、請求項２８に記載のネットワーク構成要素。
【請求項３１】
前記少なくとも１つのプロセッサは、
マクロセルにわたる負荷不均衡が存在するか否かを決定し、
マクロセルにわたる前記負荷不均衡が存在するときに、前記マクロセルのうちの１つまたは複数にマクロ／マクロオフロードインジケータを送信するように構成される、請求項２６に記載のネットワーク構成要素。
【請求項３２】
前記少なくとも１つのプロセッサは、
ピコセルにわたる負荷不均衡が存在するか否かを決定し、
ピコセルにわたる前記負荷不均衡が存在するときに、前記マクロセルのうちの１つまたは複数にピコ／ピコオフロードインジケータを送信するように構成される、請求項３１に記載のネットワーク構成要素。
【請求項３３】
ヘテロジニアスネットワークのネットワーク構成要素であって、前記ネットワーク構成要素は、
少なくとも１つのプロセッサと、
前記少なくとも１つのプロセッサに結合されるメモリとを備え、
前記少なくとも１つのプロセッサは、
マクロクラスタ内のセル負荷を報告し、
１つまたは複数のバランシングインジケータを監視し、
セルへの、またはセルからの、１つまたは複数の低モビリティユーザ機器（ＵＥ）のハンドオーバが成し遂げられ得るまで、または
個別セルオフセットの値が、さらなる調整を禁止する少なくとも１つのしきい値に達したという決定が行われるまでのうちの少なくとも１つまで、前記セルのための前記個別セルオフセットの前記値を繰返し調整することによって、バランシングインジケータに応答するように構成される、ヘテロジニアスネットワークのネットワーク構成要素。
【請求項３４】
前記少なくとも１つのプロセッサは、リソースブロック利用率、サブフレーム利用率、または無線リソース制御（ＲＲＣ）接続数のうちの少なくとも１つを報告することによって前記セル負荷を報告するように構成される、請求項３３に記載のネットワーク構成要素。
【請求項３５】
前記少なくとも１つのプロセッサは、
ピコセルのための個別セルオフセットによる調整後に、前記ピコセルの基準信号受信電力が前記マクロセルの基準信号受信電力より大きい場合には、前記ピコセルの識別を報告するために、前記マクロセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を拡大するために前記ピコセルのための個別セルオフセットを調整し、前記１つまたは複数の低モビリティＵＥのためのさらなる測定報告を構成し、
前記識別を報告する前記ＵＥのうちの１つを選択し、前記選択されたＵＥの前記ピコセルへのハンドオーバを要求することによって、マクロ／ピコオフロードインジケータに応答するように構成される、請求項３３に記載のネットワーク構成要素。
【請求項３６】
前記少なくとも１つのプロセッサは、
ピコセルのための個別セルオフセットによる調整後に、マクロセルの基準信号受信電力が前記ピコセルの基準信号受信電力より大きい場合には、前記マクロセルの識別を報告するために、前記ピコセルによってサービングされる１つまたは複数の低モビリティＵＥのための１つまたは複数の測定報告を構成し、
前記低モビリティＵＥがいずれも前記マクロセルの前記識別を報告しないとき、前記ピコセルのセル範囲を縮小するために、前記ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記マクロセルへのハンドオーバを要求することによって、ピコ／マクロオフロードインジケータに応答するように構成される、請求項３３に記載のネットワーク構成要素。
【請求項３７】
少なくとも１つのプロセッサは、
隣接マクロセルのための個別セルオフセットによる調整後に、前記隣接マクロセルの基準信号受信電力がマクロセルの基準信号受信電力より大きい場合には、前記隣接マクロセルの識別を報告するために、前記マクロセルによってサービングされる１つまたは複数の低モビリティＵＥのための１つまたは複数の測定報告を構成し、
前記低モビリティＵＥがいずれも前記隣接マクロセルの前記識別を報告しないとき、前記隣接マクロセルのセル範囲を縮小するために前記隣接マクロセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接マクロセルへのハンドオーバを要求することによって、マクロ／マクロオフロードインジケータに応答するように構成される、請求項３３に記載のネットワーク構成要素。
【請求項３８】
前記少なくとも１つのプロセッサは、
隣接ピコセルのための個別セルオフセットによる調整後に、前記隣接ピコセルの基準信号受信電力がピコセルの基準信号受信電力より大きい場合には、前記隣接ピコセルの識別を報告するために、前記ピコセルによってサービングされる１つまたは複数の低モビリティＵＥのための１つまたは複数の測定報告を構成し、
前記低モビリティＵＥがいずれも前記隣接ピコセルの前記識別を報告しないとき、前記隣接ピコセルの前記セル範囲を拡大するために前記隣接ピコセルのための前記個別セルオフセットを調整し、前記１つまたは複数の低モビリティＵＥのためのさらなる測定報告を構成し、
前記識別を報告する前記ＵＥのうちの１つを選択し、前記選択されたＵＥの前記隣接ピコセルへのハンドオーバを要求することによって、ピコ／ピコオフロードインジケータに応答するように構成される、請求項３３に記載のネットワーク構成要素。
【発明の詳細な説明】
【技術分野】
【０００１】
[0001]本開示の態様は、一般には、ワイヤレス通信システムに関し、より詳細には、セル範囲拡大融通性制御に関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）のための通信をサポートすることができるいくつかのｅＮｏｄｅＢを含むことができる。ＵＥは、ダウンリンクおよびアップリンクを介してｅＮｏｄｅＢと通信することができる。ダウンリンク（または順方向リンク）はｅＮｏｄｅＢからＵＥへの通信リンクを指し、アップリンク（または逆方向リンク）はＵＥからｅＮｏｄｅＢへの通信リンクを指す。
【０００４】
[0004]ヘテロジニアスネットワーク（ＨｅｔＮｅｔ）は、ネットワーク要素間のハンドオフ能力を用いて、カバレッジの寄せ集めを提供するために合わせて用いられる、マクロセル、小型セル（たとえば、ピコセル、フェムトセル）、そして場合によってはＷＩＦＩ（登録商標）の、ネットワーク要素間の複合的な相互運用を有するネットワークである。セル個別オフセット（ＣＩＯ）は、ＵＥがピコセルにハンドオーバするのに十分なピコセルの範囲に入ったか否かのような、イベントが発生したか否かをＵＥが評価する前に、隣接セルのプライマリ基準信号の測定結果に対してＵＥによって適用されるオフセットである。ヒステリシスおよび他の展開オフセット定数を仮定するとき、より魅力的に見える特定の隣接関係を望む場合には、その隣接セルに向かって積極的な個別オフセットが導入されるであろう。以前のＨｅｔＮｅｔ提案書は、時間／周波数リソース分割構成が一定の場合、および変化する場合の固定ＣＩＯに関して提供された。
【発明の概要】
【０００５】
[0005]同一チャネルヘテロジニアスネットワーク内のトラフィック負荷バランシングのためのセル範囲拡大融通性制御を実行するための技法が、本明細書において記述される。１つには、これらの技法は、マクロクラスタ内のマクロセルおよび／またはピコセルからの負荷報告に基づいて、ヘテロジニアスネットワーク内のマクロクラスタ内の負荷を測定する負荷バランシングエンティティまたは自己最適化ネットワーク（ＳＯＮ）機能を利用する。測定された負荷に基づいて、負荷バランシングエンティティは、マクロクラスタのうちのどのマクロクラスタが負荷不均衡を経験しているかを識別し、マクロクラスタの過負荷状態のセルによって、低モビリティＵＥをターゲットセルにハンドオーバしようとする試みをトリガするバランシングインジケータを生成する。必要に応じて、負荷バランシングエンティティは、低モビリティＵＥを特定のセルから別のセルにシフトすることができ、マクロセル間、ピコセル間、およびマクロセルとピコセルとの間で負荷シフトを規定することができる。さらに、これらの技法は、負荷バランシングエンティティに負荷を報告し、負荷バランシングエンティティからのバランシングインジケータを監視するセルを利用する。バランシングインジケータを受信すると、それらのセルは、個々のセルオフセットの値を繰返し調整することができ、個々のセルオフセットによって調整されるようなターゲットセルの無線信号受信電力に基づいてターゲットセルを報告するために、連携するＵＥに対する報告を構成することができる。繰返し調整することは、連携するＵＥのターゲットセルへのハンドオーバが成し遂げられ得るまで、またはセル個別オフセットの値が、さらなる調整を禁止するしきい値に達するか、または超えるまで継続することができる。
【０００６】
[0006]いくつかの態様では、ヘテロジニアスネットワーク内のセル間の負荷バランシングを実行するための方法が、ヘテロジニアスネットワーク内のマクロクラスタ内の負荷を測定することを含む。その方法はさらに、不均衡負荷条件を経験している１つまたは複数のマクロクラスタを識別すること含む。その方法はさらに、１つまたは複数のマクロクラスタ内の１つまたは複数のセルにバランシングインジケータを送信することを含む。
【０００７】
[0007]他の態様では、ヘテロジニアスネットワーク内の負荷バランシングを実行するための方法が、マクロクラスタ内のセル負荷を報告すること含む。その方法はさらに、１つまたは複数のバランシングインジケータを監視することを含む。その方法はさらに、１つまたは複数の条件が満たされるまで、セルのための個別セルオフセットの値を繰返し調整することによって、バランシングインジケータに応答することを含む。例示的な条件は、そのセルへの、またはそのセルからの、１つまたは複数の低モビリティユーザ機器（ＵＥ）のハンドオーバを成し遂げることを含む。また、例示的な条件は、個別セルオフセットの値がさらなる調整を禁止するしきい値に達したという決定を行うことも含む。
【０００８】
[0008]さらなる態様では、ヘテロジニアスネットワーク内のセル間の負荷バランシングを実行するための装置が、ヘテロジニアスネットワーク内のマクロクラスタ内の負荷を測定するための手段を含む。その装置はさらに、不均衡負荷条件を経験している１つまたは複数のマクロクラスタを識別するための手段を含む。その装置はさらに、マクロクラスタ内の１つまたは複数のセルにバランシングインジケータを送信するための手段を含む。
【０００９】
[0009]さらなる態様では、ヘテロジニアスネットワーク内の負荷バランシングを実行するための装置が、マクロクラスタ内のセル負荷を報告するための手段を含む。その装置はさらに、１つまたは複数のバランシングインジケータを監視するための手段を含む。その装置はさらに、１つまたは複数の条件が満たされるまで、セルのための個別セルオフセットの値を繰返し調整することによって、バランシングインジケータに応答するための手段を含む。例示的な条件は、そのセルへの、またはそのセルからの、１つまたは複数の低モビリティユーザ機器（ＵＥ）のハンドオーバを成し遂げることを含む。また、例示的な条件は、個別セルオフセットの値がさらなる調整を禁止するしきい値に達したという決定を行うことを含む。
【００１０】
[0010]さらに別の態様では、コンピュータプログラム製品が、ヘテロジニアスネットワーク内のマクロクラスタ内の負荷を測定するためのコードを有する非一時的コンピュータ可読媒体を含む。その非一時的コンピュータ可読媒体はさらに、不均衡負荷条件を経験している１つまたは複数のマクロクラスタを識別するためのコードを有する。その非一時的コンピュータ可読媒体はさらに、マクロクラスタ内の１つまたは複数のセルにバランシングインジケータを送信するためのコードを含む。
【００１１】
[0011]さらなる態様では、コンピュータプログラム製品が、マクロクラスタ内のセル負荷を報告するためのコードを有する非一時的コンピュータ可読媒体を含む。その非一時的コンピュータ可読媒体はさらに、１つまたは複数のバランシングインジケータを監視するためのコードを有する。その非一時的コンピュータ可読媒体はさらに、１つまたは複数の条件が満たされるまで、セルのための個別セルオフセットの値を繰返し調整することによって、バランシングインジケータに応答するためのコードを有する。例示的な条件は、そのセルへの、またはそのセルからの、１つまたは複数の低モビリティユーザ機器（ＵＥ）のハンドオーバを成し遂げることを含む。また、例示的な条件は、個別セルオフセットの値がさらなる調整を禁止するしきい値に達したという決定を行うことも含む。
【００１２】
[0012]さらなる態様では、ヘテロジニアスネットワークのネットワーク構成要素が、１つまたは複数のプロセッサと、１つまたは複数のプロセッサに結合されるメモリとを含む。１つまたは複数のプロセッサは、ヘテロジニアスネットワーク内の複数のマクロクラスタ内の負荷を測定するように構成される。１つまたは複数のプロセッサはさらに、不均衡負荷条件を経験している１つまたは複数のマクロクラスタを識別するように構成される。１つまたは複数のプロセッサはさらに、マクロクラスタ内の１つまたは複数のセルにバランシングインジケータを送信するように構成される。
【００１３】
[0013]さらに別の態様では、ヘテロジニアスネットワークのネットワーク構成要素が、１つまたは複数のプロセッサと、１つまたは複数のプロセッサに結合されるメモリとを含む。１つまたは複数のプロセッサは、マクロクラスタ内のセル負荷を報告するように構成される。１つまたは複数のプロセッサはさらに、１つまたは複数のバランシングインジケータを監視するように構成される。１つまたは複数のプロセッサはさらに、１つまたは複数の条件が満たされるまで、セルのための個別セルオフセットの値を繰返し調整することによって、バランシングインジケータに応答するように構成される。例示的な条件は、そのセルへの、またはそのセルからの、１つまたは複数の低モビリティユーザ機器（ＵＥ）のハンドオーバを成し遂げることを含む。また、例示的な条件は、個別セルオフセットの値がさらなる調整を禁止する少なくとも１つのしきい値に達したという決定を行うことを含む。
【００１４】
[0014]本開示の様々な態様および特徴が、以下でさらに詳細に説明される。
【図面の簡単な説明】
【００１５】
【図１】[0015]電気通信システムの一例を概念的に示すブロック図。
【図２】[0016]電気通信システムにおけるダウンリンクフレーム構造の一例を概念的に示すブロック図。
【図３】[0017]本開示の一態様に従って構成されたｅＮｏｄｅＢおよびＵＥの設計を概念的に示すブロック図。
【図４】[0018]本開示による、負荷バランシングエンティティを有するマクロセルクラスタの配置を概念的に示すブロック図。
【図５】[0019]本開示の一態様を実現するために、中央ＨｅｔＮｅｔ負荷バランシングエンティティによって実行される例示的なブロックを概念的に示す機能ブロック図。
【図６】[0020]本開示の一態様を実現するために、マクロ／ピコおよびピコ／マクロ負荷バランシングエンティティによって実行される例示的なブロックを概念的に示す機能ブロック図。
【図７】[0021]本開示の一態様を実現するために、マクロセルにおいてマクロ／ピコオフロードアルゴリズムによって実行される例示的なブロックを概念的に示す機能ブロック図。
【図８】[0022]本開示の一態様を実現するために、ピコセルにおいてピコ／マクロオフロードアルゴリズムによって実行される例示的なブロックを概念的に示す機能ブロック図。
【図９】[0023]本開示の一態様を実現するために、マクロセルにおいてマクロ／マクロオフロードアルゴリズムによって実行される例示的なブロックを概念的に示す機能ブロック図。
【図１０】[0024]本開示の一態様を実現するために、ピコセルにおいてピコ／ピコオフロードアルゴリズムによって実行される例示的なブロックを概念的に示す機能ブロック図。
【図１１】[0025]ヘテロジニアスネットワーク内のセル間で負荷バランシングを実行するためのプロセスを実施するために実行される例示的なブロックを概念的に示す機能ブロック図。
【図１２】[0026]ヘテロジニアスネットワーク内で負荷バランシングを実行するためのプロセスを実施するために実行される例示的なブロックを概念的に示す機能ブロック図。
【発明を実施するための形態】
【００１６】
[0027]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形で示される。
【００１７】
[0028]本明細書に記載される技法は、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークに使用される場合がある。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実現することができる。ＵＴＲＡは、広帯域ＣＤＭＡ（ＷＣＤＭＡ（登録商標））とＣＤＭＡの他の変形形態とを含む。ｃｄｍａ２０００は、ＩＳ−２０００、ＩＳ−９５およびＩＳ−８５６の標準規格を含む。ＴＤＭＡネットワークは、モバイル通信用グローバルシステム（ＧＳＭ（登録商標））などの無線技術を実現することができる。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実現することができる。ＵＴＲＡおよびＥ−ＵＴＲＡは、ユニバーサルモバイル電気通信システム（ＵＭＴＳ）の一部である。３ＧＰＰ長期発展（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる組織からの文書に記載されている。ｃｄｍａ２０００およびＵＭＢは、「第３世代パートナーシッププロジェクト２」（３ＧＰＰ２：3rd Generation Partnership Project 2）と呼ばれる組織からの文書に記載されている。本明細書において説明される技法は、上記のワイヤレスネットワークおよび無線技術、ならびに他のワイヤレスネットワークおよび無線技術のために使用され得る。明確にするために、本技法のいくつかの態様が以下ではＬＴＥに関して説明され、以下の説明の大部分においてＬＴＥ用語が使用される。
【００１８】
[0029]図１に、ＬＴＥネットワークであり得るワイヤレス通信ネットワーク１００を示す。ワイヤレスネットワーク１００は、いくつかの発展型ノードＢ（ｅＮｏｄｅＢ）１１０と他のネットワークエンティティとを含むことができる。ｅＮｏｄｅＢは、ＵＥと通信する局とすることができ、基地局、アクセスポイントなどと呼ばれることもある。ノードＢは、ＵＥと通信する局の別の例である。
【００１９】
[0030]各ｅＮｏｄｅＢ１１０は、特定の地理的エリアに対して通信カバレージを提供することができる。３ＧＰＰでは、「セル」という用語は、この用語が使用される状況に応じて、ｅＮｏｄｅＢのカバレージエリアおよび／またはこのカバレージエリアをサービングしているｅＮｏｄｅＢサブシステムを指すことができる。
【００２０】
[0031]ｅＮｏｄｅＢは、マクロセル、ピコセル、フェムトセル、および／または他のタイプのセルに対する通信カバレージを提供することができる。マクロセルは、比較的大きい地理的エリア（たとえば、半径数キロメートル）をカバーすることができ、サービスに加入しているＵＥによる無制限アクセスを許すことができる。ピコセルは、相対的に小さい地理的エリアをカバーすることができ、サービスに加入しているＵＥによる無制限のアクセスを許すことができる。フェムトセルは、相対的に小さい地理的エリア（たとえば、自宅）をカバーすることができ、フェムトセルとの関連を有するＵＥ（たとえば、限定加入者グループ（ＣＳＧ：Closed Subscriber Group）内のＵＥ、自宅内のユーザのためのＵＥなど）による制限付きアクセスを許すことができる。マクロセルのためのｅＮｏｄｅＢはマクロｅＮｏｄｅＢと呼ばれることがある。ピコセルのためのｅＮｏｄｅＢはピコｅＮｏｄｅＢと呼ばれることがある。また、フェムトセルのためのｅＮｏｄｅＢはフェムトｅＮｏｄｅＢまたはホームｅＮｏｄｅＢと呼ばれることがある。図１に示す例では、ｅＮｏｄｅＢ１１０ａ、１１０ｂおよび１１０ｃは、それぞれマクロセル１０２ａ、１０２ｂおよび１０２ｃのためのマクロｅＮｏｄｅＢであり得る。ｅＮｏｄｅＢ１１０ｘは、ピコセル１０２ｘのためのピコｅＮｏｄｅＢであり得る。ｅＮｏｄｅＢ１１０ｙおよび１１０ｚは、それぞれフェムトセル１０２ｙおよび１０２ｚのためのフェムトｅＮｏｄｅＢであり得る。ｅＮｏｄｅＢは、１つまたは複数の（たとえば、３つの）セルをサポートすることができる。
【００２１】
[0032]ワイヤレスネットワーク１００はまた、中継局を含むことができる。中継局は、上流局（たとえば、ｅＮｏｄｅＢまたはＵＥなど）からデータおよび／または他の情報の送信を受信し、そのデータおよび／または他の情報の送信を下流局（たとえば、ＵＥまたはｅＮｏｄｅＢ）に送信する局である。中継局はまた、他のＵＥ向けの送信を中継するＵＥとすることもできる。図１に示す例では、中継局１１０ｒは、ｅＮｏｄｅＢ１１０ａとＵＥ１２０ｒとの間の通信を可能にするために、ｅＮｏｄｅＢ１１０ａおよびＵＥ１２０ｒと通信することができる。中継局は、リレーｅＮｏｄｅＢ、リレーなどと呼ばれることもある。
【００２２】
[0033]ワイヤレスネットワーク１００は、様々なタイプのｅＮｏｄｅＢ、たとえば、マクロｅＮｏｄｅＢ、ピコｅＮｏｄｅＢ、フェムトｅＮｏｄｅＢ、リレーなどを含むヘテロジニアスネットワークとすることができる。これらの様々なタイプのｅＮｏｄｅＢは、様々な送信電力レベル、様々なカバレージエリア、およびワイヤレスネットワーク１００中の干渉に対する様々な影響を有することができる。たとえば、マクロｅＮｏｄｅＢは、高い送信電力レベル（たとえば、２０ワット）を有することができるが、ピコｅＮｏｄｅＢ、フェムトｅＮｏｄｅＢ、およびリレーは、より低い送信電力レベル（たとえば、１ワット）を有することができる。
【００２３】
[0034]ワイヤレスネットワーク１００は、同期動作または非同期動作をサポートすることができる。同期動作の場合、ｅＮｏｄｅＢは同様のフレームタイミングを有することができ、異なるｅＮｏｄｅＢからの送信は近似的に時間に関して位置合わせされ得る。非同期動作の場合、ｅＮｏｄｅＢは異なるフレームタイミングを有することができ、異なるｅＮｏｄｅＢからの送信は時間に関して位置合わせされないことがある。本明細書で説明する技法は、同期動作と非同期動作の両方のために使用され得る。
【００２４】
[0035]ネットワークコントローラ１３０は、１組のｅＮｏｄｅＢに結合し、これらのｅＮｏｄｅＢのための協調および制御を提供することができる。ネットワークコントローラ１３０は、バックホールを介してｅＮｏｄｅＢ１１０と通信することができる。ｅＮｏｄｅＢ１１０はまた、たとえば、ワイヤレスバックホールまたは有線バックホールを介して直接または間接的に互いに通信することもできる。
【００２５】
[0036]ＵＥ１２０は、ワイヤレスネットワーク１００全体にわたって分散して配置される場合があり、各ＵＥは、固定の場合があるか、またはモバイルの場合がある。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができる。ＵＥは、マクロｅＮｏｄｅＢ、ピコｅＮｏｄｅＢ、フェムトｅＮｏｄｅＢ、リレーなどと通信できる場合がある。図１において、両矢印付きの実線は、ＵＥと、ダウンリンクおよび／またはアップリンク上でそのＵＥをサービングするように指定されたｅＮｏｄｅＢであるサービングｅＮｏｄｅＢとの間の所望の送信を示す。両矢印付きの破線は、ＵＥとｅＮｏｄｅＢとの間の干渉送信を示す。
【００２６】
[0037]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定される場合があり、サブキャリアの総数（Ｋ）はシステム帯域幅によって決まる場合がある。たとえば、サブキャリアの間隔は１５ｋＨｚとすることができ、（「リソースブロック」と呼ばれる）最小リソース割振りは１２個のサブキャリア（または１８０ｋＨｚ）とすることができる。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくすることができる。システム帯域幅はまた、サブバンドに区分され得る。たとえば、サブバンドは１．０８ＭＨｚ（すなわち、６つのリソースブロック）をカバーすることができ、１．２５、２．５、５、１０または２０ＭＨｚのシステム帯域幅に対してそれぞれ１、２、４、８または１６個のサブバンドが存在することができる。
【００２７】
[0038]図２は、ＬＴＥにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有する場合があり、０〜９のインデックスをもつ１０個のサブフレームに区分される場合がある。各サブフレームは２個のスロットを含むことができる。したがって、各無線フレームは、０〜１９のインデックスをもつ２０個のスロットを含むことができる。各スロットは、Ｌ個のシンボル期間、たとえば、（図２に示すように）標準サイクリックプレフィックスの場合は７つのシンボル期間、または拡張サイクリックプレフィックスの場合は１４個のシンボル期間を含むことができる。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーすることができる。
【００２８】
[0039]ＬＴＥでは、ｅＮｏｄｅＢは、ｅＮｏｄｅＢ中の各セルについてプライマリ同期信号（ＰＳＳ：primary synchronization signal）とセカンダリ同期信号（ＳＳＳ：secondary synchronization signal）とを送ることができる。プライマリ同期信号およびセカンダリ同期信号は、図２に示すように、それぞれ、標準サイクリックプレフィックスを伴う各無線フレームのサブフレーム０および５の各々中のシンボル期間６および５中で送られ得る。同期信号は、セル検出および捕捉のためにＵＥによって使用され得る。ｅＮｏｄｅＢは、サブフレーム０のスロット１中のシンボル期間０〜３中で物理ブロードキャストチャネル（ＰＢＣＨ：Physical Broadcast Channel）を送ることができる。ＰＢＣＨはあるシステム情報を搬送することができる。
【００２９】
[0040]ｅＮｏｄｅＢは、図２において第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送ることができる。ＰＣＦＩＣＨは、制御チャネルのために使用されるいくつか（Ｍ個）のシンボル期間を搬送することができ、ここで、Ｍは、１、２または３に等しくすることができ、サブフレームごとに変化することができる。Ｍはまた、たとえば、リソースブロックが１０個未満である小さいシステム帯域幅では、４に等しくすることができる。図２に示す例では、Ｍ＝３である。ｅＮｏｄｅＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送ることができる。ＰＨＩＣＨは、ハイブリッド自動再送（ＨＡＲＱ：hybrid automatic retransmission）をサポートするための情報を搬送することができる。ＰＤＣＣＨは、ＵＥのためのアップリンクおよびダウンリンクリソース割振りに関する情報と、アップリンクチャネルのための電力制御情報とを搬送することができる。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮｏｄｅＢは、各サブフレームの残りのシンボル期間中に物理ダウンリンク共有チャネル（ＰＤＳＣＨ：Physical Downlink Shared Channel）を送ることができる。ＰＤＳＣＨは、ダウンリンク上でのデータ送信がスケジュールされたＵＥのためのデータを搬送することができる。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する、３ＧＰＰのＴＳ３６．２１１に記載されている。
【００３０】
[0041]ｅＮｏｄｅＢは、ｅＮｏｄｅＢによって使用されるシステム帯域幅の中心１．０８ＭＨｚにおいてＰＳＳ、ＳＳＳおよびＰＢＣＨを送ることができる。ｅＮｏｄｅＢは、これらのチャネルが送られる各シンボル期間中のシステム帯域幅全体にわたってＰＣＦＩＣＨおよびＰＨＩＣＨを送ることができる。ｅＮｏｄｅＢは、システム帯域幅のいくつかの部分においてＵＥのグループにＰＤＣＣＨを送ることができる。ｅＮｏｄｅＢは、システム帯域幅の特定の部分において特定のＵＥにＰＤＳＣＨを送ることができる。ｅＮｏｄｅＢは、すべてのＵＥにブロードキャスト方式でＰＳＳ、ＳＳＳ、ＰＢＣＨ、ＰＣＦＩＣＨおよびＰＨＩＣＨを送ることができ、特定のＵＥにユニキャスト方式でＰＤＣＣＨを送ることができ、また特定のＵＥにユニキャスト方式でＰＤＳＣＨを送ることもできる。
【００３１】
[0042]各シンボル期間においていくつかのリソース要素が利用可能であり得る。各リソース要素は、１つのシンボル期間中に１つのサブキャリアをカバーすることができ、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中の４つのリソース要素を含むことができる。ＰＣＦＩＣＨは、シンボル期間０において、周波数にわたってほぼ等しく離間され得る、４つのＲＥＧを占有することができる。ＰＨＩＣＨは、１つまたは複数の構成可能なシンボル期間において、周波数にわたって拡散され得る、３つのＲＥＧを占有することができる。たとえば、ＰＨＩＣＨのための３つのＲＥＧは、すべてシンボル期間０に属することができるか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有することができる。ＲＥＧのいくつかの組合せのみがＰＤＣＣＨに対して許され得る。
【００３２】
[0043]ＵＥは、ＰＨＩＣＨおよびＰＣＦＩＣＨのために使用される特定のＲＥＧを知ることができる。ＵＥは、ＰＤＣＣＨについてＲＥＧの様々な組合せを探索することができる。探索すべき組合せの数は、一般に、ＰＤＣＣＨに対して許される組合せの数よりも少ない。ｅＮｏｄｅＢは、ＵＥが探索することになる組合せのいずれかにおいてＵＥにＰＤＣＣＨを送ることができる。
【００３３】
[0044]ＵＥは、複数のｅＮｏｄｅＢのカバレージ内に存在する場合がある。そのＵＥをサービングするために、これらのｅＮｏｄｅＢのうちの１つが選択され得る。サービングｅＮｏｄｅＢは、受信電力、経路損失、信号対雑音比（ＳＮＲ）など、様々な基準に基づいて選択され得る。
【００３４】
[0045]図３に、図１のｅＮｏｄｅＢの１つであるｅＮｏｄｅＢ１１０、および図１のＵＥの１つであるＵＥ１２０の設計のブロック図を示す。制限付き関連付けシナリオの場合、ｅＮｏｄｅＢ１１０は図１中のマクロｅＮｏｄｅＢ１１０ｃとすることができ、ＵＥ１２０はＵＥ１２０ｙとすることができる。ｅＮｏｄｅＢ１１０はアンテナ３３４ａ〜３３４ｔを備ることができ、ＵＥ１２０はアンテナ３５２ａ〜３５２ｒを備ることができる。
【００３５】
[0046]ｅＮｏｄｅＢ１１０において、送信プロセッサ３２０は、データソース３１２からデータを受信し、コントローラ／プロセッサ３４０から制御情報を受信することができる。制御情報は、ＰＢＣＨ、ＰＣＦＩＣＨ、ＰＨＩＣＨ、ＰＤＣＣＨなど向けであり得る。データは、ＰＤＳＣＨなど向けであり得る。プロセッサ３２０は、データと制御情報とを処理（たとえば、符号化およびシンボルマッピング）して、それぞれデータシンボルと制御シンボルとを得ることができる。プロセッサ３２０はまた、たとえば、ＰＳＳ、ＳＳＳ、およびセル固有基準信号のための基準シンボルを生成することもできる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行することができ、変調器（ＭＯＤ）３３２ａ〜３３２ｔに出力シンボルストリームを与えることができる。各変調器３３２は、（たとえば、ＯＦＤＭなどのために）それぞれの出力シンボルストリームを処理して、出力サンプルストリームを得ることができる。各変調器３３２はさらに、出力サンプルストリームを処理（たとえば、アナログへの変換、増幅、フィルタ処理、およびアップコンバート）して、ダウンリンク信号を得ることができる。変調器３３２ａ〜３３２ｔからのダウンリンク信号は、それぞれアンテナ３３４ａ〜３３４ｔを介して送信され得る。
【００３６】
[0047]ＵＥ１２０において、アンテナ３５２ａ〜３５２ｒは、ｅＮｏｄｅＢ１１０からダウンリンク信号を受信することができ、受信信号をそれぞれ復調器（ＤＥＭＯＤ）３５４ａ〜３５４ｒに与えることができる。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなど向けの）入力サンプルを処理して、受信シンボルを得ることができる。ＭＩＭＯ検出器３５６は、すべての復調器３５４ａ〜３５４ｒから受信シンボルを入手し、適用可能な場合は受信シンボルに対してＭＩＭＯ検出を実行し、検出シンボルを与えることができる。受信プロセッサ３５８は、検出シンボルを処理（たとえば、復調、デインターリーブ、および復号）し、ＵＥ１２０用の復号されたデータをデータシンク３６０に与え、復号された制御情報をコントローラ／プロセッサ３８０に与えることができる。
【００３７】
[0048]アップリンク上では、ＵＥ１２０において、送信プロセッサ３６４は、データソース３６２から（たとえば、ＰＵＳＣＨ向けの）データを受信し、処理することができ、コントローラ／プロセッサ３８０から（たとえば、ＰＵＣＣＨ向けの）制御情報を受信し、処理することができる。送信プロセッサ３６４は、基準信号についての基準シンボルを生成することもできる。送信プロセッサ３６４からのシンボルは、適用可能な場合はＴＸ  ＭＩＭＯプロセッサ３６６によってプリコーディングされ、さらに（たとえば、ＳＣ−ＦＤＭなど向けに）復調器３５４ａ〜３５４ｒによって処理され、ｅＮｏｄｅＢ１１０に送信され得る。ｅＮｏｄｅＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報を得ることができる。受信プロセッサ３３８は、復号されたデータをデータシンク３３９に与え、復号された制御情報をコントローラ／プロセッサ３４０に与えることができる。
【００３８】
[0049]コントローラ／プロセッサ３４０および３８０は、それぞれｅＮｏｄｅＢ１１０における動作およびＵＥ１２０における動作を指示することができる。ｅＮｏｄｅＢ１１０におけるプロセッサ３４０および／または他のプロセッサおよびモジュールは、本明細書で説明する技法のための様々なプロセスを実行するか、またはその実行を指示することができる。ＵＥ１２０におけるプロセッサ３８０ならびに／または他のプロセッサおよびモジュールはまた、図４〜図８に示される機能ブロック、および／または本明細書で説明される技法のための他のプロセスを実行するか、またはその実行を指示することができる。メモリ３４２および３８２は、それぞれｅＮｏｄｅＢ１１０およびＵＥ１２０のためのデータおよびプログラムコードを記憶することができる。スケジューラ３４４は、ダウンリンク上および／またはアップリンク上でのデータ送信のためにＵＥをスケジュールすることができる。
【００３９】
[0050]１つの構成では、ワイヤレス通信のためのＵＥ１２０は、ＵＥの接続モード中に干渉ｅＮｏｄｅＢからの干渉を検出するための手段と、干渉ｅＮｏｄｅＢの得られたリソースを選択するための手段と、得られたリソース上の物理ダウンリンク制御チャネルの誤り率を得るための手段と、誤り率が所定のレベルを超えたことに応答して実行可能である、無線リンク障害を宣言するための手段とを含む。一態様では、上述の手段は、上述の手段によって列挙される機能を実行するように構成される、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａとすることができる。別の態様では、上述の手段は、上述の手段によって列挙された機能を実行するように構成される、モジュールまたは任意の装置とすることができる。
【００４０】
[0051]図４は、同一チャネルヘテロジニアスネットワーク（ＨｅｔＮｅｔｓ）内のマクロ／ピコ、ピコ／マクロ、マクロ／マクロおよび／またはピコ／ピコセルトラフィック負荷バランシングのための１つの機構として、適応的なセル個別オフセット（ＣＩＯ）を通して、セル範囲拡大（ＣＲＥ）融通性制御を実施する例示的なネットワークを示す。上記のように、ＣＩＯは、ピコセルからの受信信号強度がマクロセルの受信信号強度より低いことがわかる場合であっても、ＵＥがピコセルにおいて動作できるようにするために、ＨＯ報告において適用されるオフセットである。この場合、ＵＥは、多くの場合に、特殊な干渉除去機構を用いて、これらの低電力ピコセルとのデータ接続を選択し、維持する。このようにして、ピコセル付近にあるより多くのＵＥがピコセルで動作することができ、それにより、ヘテロジニアスネットワーク内のマクロセルオフロードを可能にする。ＣＩＯ値が大きければ大きいほど、結果として、マクロセルからピコセルへのトラフィックオフロードのパーセンテージを高くすることができる。しかしながら、このピコセル範囲拡大は、ＵＥにおいて実施される干渉除去機構の性能によって制限される。
【００４１】
[0052]適応的提案機構は、ＨｅｔＮｅｔ負荷バランシングエンティティ４１２を介して、または自己最適化ネットワーク（ＳＯＮ）機能を介して、ピコセル４００〜４１０ごとにＣＩＯ値を個別に調整し、その機構は、低モビリティＵＥ４２４〜４３４に関して各マクロセル４１４〜４２２およびピコセル４００〜４１０の個々のトラフィック負荷を監視し、ピコセルのＣＩＯ値および／または隣接するマクロセルのＣＩＯ値を局所的に変更し、その負荷をある範囲にわたって数ｄＢずつ段階的に変化させる。
【００４２】
[0053]ＣＩＯ値変更または適応の実効的な影響は、より多くの数、またはより少ない数のＵＥをサービングするためにセル境界をシフトし、それにより、複数のセルにわたって負荷を潜在的に均等に分散させることである。たとえば、マクロ／マクロセル負荷バランシングシナリオにおいてＣＩＯを変更することによって、マクロセル間の実効的な境界を負荷不足のセルから過負荷状態のセルにシフトする。この変更は、ユーザのサービス優先権を過負荷セルから負荷不足セルにシフトする。代替的には、ピコ／マクロまたはマクロ／ピコ負荷バランシングシナリオにおいてＣＩＯ値を変更することによって、ピコのセル範囲がピコ基地局の周囲で拡縮することができ、ＵＥの接続優先権をマクロセルとピコセルとの間で実効的にシフトすることができる。
【００４３】
[0054]負荷バランシングエンティティ４１２（たとえば、中央またはＳＯＮ）は、マクロセルと、マクロセルに近接しているピコセルと、マクロセル、またはマクロセルのピコセルのいずれかに近接しているＵＥとから構成されるマクロクラスタを観測する。負荷バランシングエンティティは、種々のマクロクラスタ内の負荷を測定し、必要に応じて、マクロ／ピコインジケータ、ピコ／マクロインジケータ、マクロ／マクロインジケータおよびピコ／ピコインジケータを設定する。負荷バランシングエンティティは、ネットワークコントローラ１３０（図１を参照）のような中央負荷バランシングエンティティとすることができると考えられる。さらに、中央ＨｅｔＮｅｔ負荷バランシングエンティティは、物理的に、マクロセル内に位置し得るか、モビリティ管理エンティティ（ＭＭＥ）内に併置され得るか、ＭＭＥの一部とし得るか、またはＳＯＮサーバ内の任意の他のエンティティとし得ることが考えられる。代替的には、負荷バランシングエンティティは、ＳＯＮにわたって分散して配置され、種々のｅＮＢ、ＵＥおよび／または他のネットワーク構成要素によって静的に、または動的に実現され得ることが考えられる。
【００４４】
[0055]負荷バランシングエンティティは、マクロ／マクロおよび／またはピコ／ピコ負荷バランシングインジケータを設定しようと試みる前に、このマクロクラスタのもとでマクロセルとピコセルとの間の負荷バランシングを優先的に実行する。マクロクラスタごとに、最初に、マクロセル負荷が、最も低い負荷を有するクラスタ内のピコセルの負荷と比較される。マクロセルの負荷がそのピコセルの負荷より著しく大きいか、または小さい場合には、それぞれ、マクロ／ピコインジケータまたはピコ／マクロインジケータが設定され得る。最近、ピコセルへの、またはピコセルからのオフロードが試みられたか否かのチェックが行われ、オフロードのターゲットまたはソースではなかった次に最も低いか、または次に最も高い負荷のピコセルが選択され得る。
【００４５】
[0056]マクロセル４１４〜４２２はマクロ負荷を、ピコセル４００〜４１０はピコ負荷を、負荷バランシングエンティティに報告する。マクロセル４１４〜４２２は、ピコセル４００〜４１０または隣接するマクロセル４１４〜４２２を識別するバランシングインジケータを監視する。マクロセル４１４〜４２２は、低モビリティＵＥ４２４〜４３４（たとえば、マクロセルまたはピコセルによってサービングされる）のいずれかのハンドオーバ（たとえば、ピコセル４００〜４１０へ、もしくはピコセル４００〜４１０からの、または隣接するマクロセル４１４〜４２２へのハンドオーバ）が成し遂げられ得るまで、またはＣＩＯが、さらなる調整を禁止する少なくとも１つのしきい値に達したという決定が行われるまで、ピコセルまたは隣接するマクロセルに対するＣＩＯを繰返し調整することによって、ピコセル４００〜４１０または隣接するマクロセル４１４〜４２２を識別するオフロードインジケータに応答する。可能であるときはいつでも、マクロ／マクロ負荷バランシングの場合に説明されたのと類似の機構を用いて、ピコ／ピコ負荷バランシングが成し遂げられ得る。
【００４６】
[0057]図５は、本開示による負荷バランシングエンティティによって実行される例示的なプロセスを示しており、ブロック５００において、負荷情報を受信し、マクロセルとピコセルとの間のマクロクラスタ関係に関する情報にアクセスすることによって開始することができる。ブロック５００において受信された負荷情報は、ネットワーク内のマクロセルおよびピコセルごとの、または負荷バランシングエンティティに割り当てられるネットワークの部分の、リソースブロック利用率、サブフレーム利用率、および／または無線リソース制御（ＲＲＣ）接続数を含むことができる。処理がブロック５００からブロック５０２に進むことができる。
【００４７】
[0058]ブロック５０２において、そのプロセスは、負荷情報を用いて、どのマクロクラスタが不均衡負荷条件を経験しているかを識別することを含むことができる。どのマクロクラスタが不均衡負荷条件を経験しているかを識別することは、マクロクラスタの負荷を互いに比較することと、それらの比較結果を評価して、それらの結果が１つまたは複数のしきい値を超えているか否かを決定することとを含むことができる。さらに、どのマクロクラスタが不均衡負荷条件を経験しているかを識別することは、ピコセルの負荷を、そのピコセルが存在するマクロクラスタの負荷と比較することと、それらの比較結果を評価して、それらの結果が１つまたは複数のしきい値を超えているか否かを決定することとを含むことができる。さらに、どのマクロクラスタが不均衡負荷条件を経験しているかを識別することは、マクロクラスタ内に存在するピコセルの負荷を互いに比較し、それらの比較結果を評価して、それらの結果が１つまたは複数のしきい値を超えているか否かを決定することとを含むことができる。その代わりに、またはそれに加えて、どのマクロクラスタが不均衡負荷条件を経験しているかを識別することは、図６に関して後に説明されるように実行され得る。処理がブロック５０２からブロック５０４に進むことができる。
【００４８】
[0059]ブロック５０４において、マクロ／ピコ負荷不均衡が検出されるか否かの決定が行われる。この決定は、ピコセルが存在するマクロクラスタからブロック５００において受信された負荷情報のブロック５０２における比較に基づくことができる。ブロック５０２において不均衡が検出された場合には、その処理はブロック５０６に進む。そうでない場合には、処理がブロック５０８に進む。
【００４９】
[0060]ブロック５０６において、ネットワーク内の対応するマクロセルおよび／またはピコセルに、マクロ／ピコまたはピコ／マクロ負荷バランシングインジケータが送信され得る。これらの負荷インジケータは、ソースセルおよびターゲットセルを識別し、負荷バランシング動作をトリガすることが意図されており、それにより、１つまたは複数のＵＥをソースセルからターゲットセルにハンドオーバしようする試みが行われる。処理がブロック５０６からブロック５００に戻ることができる。
【００５０】
[0061]ブロック５０８において、マクロ／マクロ負荷不均衡が検出されるか否かの決定が行われ得る。この決定は、隣接するマクロクラスタからブロック５００において受信された負荷情報のブロック５０２における比較に基づくことができる。ブロック５０８において、マクロ／マクロ負荷不均衡が検出されると決定するのに応答して、処理がブロック５１０に進むことができる。そうでない場合には、処理はブロック５１２に進むことができる。
【００５１】
[0062]ブロック５１０において、マクロ／マクロ負荷バランシングインジケータが、ネットワーク内の対応するマクロセルに送信され得る。これらの負荷インジケータは、ソースセルおよびターゲットセルを識別し、負荷バランシング動作をトリガすることが意図されており、それにより、１つまたは複数のＵＥをソースセルからターゲットセルにハンドオーバしようする試みが行われる。処理がブロック５１０からブロック５００に戻ることができる。
【００５２】
[0063]ブロック５１２において、ピコ／ピコ負荷不均衡が検出されるか否かの決定が行われ得る。この決定は、ピコセルが存在するマクロクラスタからブロック５００において受信された負荷情報のブロック５０２における比較に基づくことができる。ブロック５１２において、ピコ／ピコ負荷不均衡が検出されると決定するのに応答して、処理がブロック５１４に進むことができる。そうでない場合には、処理はブロック５００に戻ることができる。
【００５３】
[0064]ブロック５１４において、ネットワーク内の対応するピコセルに、ピコ／ピコ負荷バランシングインジケータが送信され得る。これらの負荷インジケータは、ソースセルおよびターゲットセルを識別し、負荷バランシング動作をトリガすることが意図されており、それにより、１つまたは複数のＵＥをソースセルからターゲットセルにハンドオーバしようする試みが行われる。処理がブロック５１４からブロック５００に戻ることができる。
【００５４】
[0065]図６を参照すると、どのマクロクラスタが不均衡負荷条件を経験しているかを識別する例示的なプロセスが、マクロセル負荷（ＭＬ）を識別し、ピコセル負荷（ＰＬ）によってピコセルを昇順にソートし、ソートされたピコセルのうちの第１のピコセルを現在のピコセルと設定することにより、ブロック６００において開始することによって負荷バランシングエンティティによって実行され得る。処理がブロック６００からブロック６０２に進むことができる。
【００５５】
[0066]ブロック６０２において、ピコＣＩＯによるピコセル負荷の上方調整（ｘｄＢ）後に、以下の式に従って、マクロセル負荷（ＭＬ）がピコセル負荷（ＰＬ）を超えているか否かの決定が行われ得る。
【数１】
2016503272.tif 000003
【００５６】
この評価の返された結果が真である場合には、処理がブロック６０４に進む。そうでない場合には、処理がブロック６１０に進む。当業者は、ピコセル負荷の上方調整をマクロセル負荷の下方調整で置き換えるなどの同等の評価手順を容易に認識されよう。
【００５７】
[0067]ブロック６０４において、マクロセルから現在のピコセルへのオフロードが、所定の時間窓内のような、最近に試みられたか否かの別の決定が行われ得る。ブロック６０４において、現在のピコセルへのオフロードが最近に試みられなかったという決定に応答して、処理がブロック６０７に進む。同じセルにハンドオフする試みを繰返しトリガするのは望ましくない。したがって、ブロック６０４において、現在のピコセルへのオフロードが最近に試みられたという決定に応答して、処理がブロック６０６に進む。
【００５８】
[0068]ブロック６０６において、マクロセルより依然として負荷が小さい次のソートされたピコセルが、現在のピコセルとして選択され得る。この選択手順は、次の最も負荷が小さいピコセルを、次のハンドオーバ試行のためのターゲットとして優先的に選択する。処理がブロック６０６からブロック６０２に戻る。
【００５９】
[0069]ブロック６０７において、マクロ／ピコオフロードインジケータを設定して、マクロセルから現在のピコセルへのオフロードが試みられるべきであることを指示することができる。この負荷インジケータは、マクロセルをソースセルとして、およびピコセルをターゲットセルとして識別し、負荷バランシング動作をトリガすることが意図されており、それにより、１つまたは複数のＵＥをマクロセルからピコセルにハンドオーバしようとする試みが行われる。処理がブロック６０７からブロック６０８に進む。
【００６０】
[0070]ブロック６０８において、処理が次のマクロクラスタに移動することができる。処理がブロック６０８からブロック６００に戻ることができる。しかしながら、すべてのマクロクラスタが評価された場合には、すべての負荷インジケータが、それぞれの負荷インジケータのソースセルおよびターゲットセルに対応するマクロクラスタに送信するための送信待ち行列に入れられ得る。
【００６１】
[0071]ブロック６１０において、ピコＣＩＯによる下方調整後に（ｘｄＢ）、現在のピコセルに関して、以下の式に従って、マクロセル負荷、ＭＬがピコセル負荷、ＰＬより小さいか否かの別の決定が行われ得る。
【数２】
2016503272.tif 000004
【００６２】
ブロック６１０における評価の返された結果が真である場合には、処理がブロック６１２に進む。そうでない場合には、処理がブロック６０８に戻る。当業者は、ピコセル負荷の下方調整をマクロセル負荷の上方調整で置き換えるなどの同等の評価手順を容易に認識されよう。
【００６３】
[0072]ブロック６１２において、現在のピコセルからマクロセルへのオフロードが、所定の時間窓内のような、最近に試みられたか否かの別の決定が行われ得る。ブロック６１２において、現在のピコセルから現在のマクロセルへのオフロードが最近に試みられなかったという決定に応答して、処理がブロック６１６に進む。そうでない場合には、同じセルにハンドオフする試みを繰返しトリガするのは望ましくない。したがって、ブロック６１２において、現在のピコセルから現在のマクロセルへのオフロードが最近に試みられたという決定に応答して、処理がブロック６１４に進む。
【００６４】
[0073]ブロック６１４において、マクロセルより依然として負荷が大きい次のソートされたピコセルが、現在のピコセルとして選択され得る。この選択手順は、次の最も負荷が大きいピコセルを、次のハンドオーバ試行のためのターゲットとして、優先的に選択する。処理がブロック６１４からブロック６０２に戻る。
【００６５】
[0074]ブロック６１６において、ピコ／マクロオフロードインジケータを設定して、現在のピコセルからマクロセルへのオフロードが試みられるべきであることを指示することができる。この負荷インジケータは、現在のピコセルをソースセルとして、およびマクロセルをターゲットセルとして識別し、負荷バランシング動作をトリガすることが意図されており、それにより、１つまたは複数のＵＥを現在のピコセルからマクロセルにハンドオーバしようとする試みが行われる。処理がブロック６１６からブロック６０８に戻ることができる。
【００６６】
[0075]ここで図７を参照すると、本開示による、マクロセルによって実行される例示的なプロセスが、負荷バランシングエンティティに、マクロクラスタ内のマクロセルおよび各ピコセルに関する、リソースブロック利用率、サブフレーム利用率および／または無線リソース制御（ＲＲＣ）接続数のような、マクロおよび／またはピコセル負荷を報告することによって、ブロック７００において開始することができる。マクロセルをハブとして用いて、ピコセル負荷を取り込むことができ、マクロセル負荷およびピコセル負荷の両方を中央ＨｅｔＮｅｔ負荷バランシングエンティティに報告できることが考えられる。ブロック７００は、負荷バランシングエンティティによって送信されるマクロ／ピコセルオフロードインジケータを監視することも含むことができる。
【００６７】
[0076]ブロック７０２において、マクロクラスタ内のピコセルを識別するマクロ／ピコ負荷バランシングインジケータを受信することなどによって、マクロ／ピコ負荷バランシングが指示されるか否かの決定が行われ得る。ブロック７０２において、マクロ／ピコ負荷バランシングが指示されると決定するのに応答して、処理がブロック７０４に進むことができる。そうでない場合には、処理はブロック７２２に進むことができる。
【００６８】
[0077]ブロック７０４において、ピコＣＩＯによるサーバ無線信号受信電力（ＲＳＲＰ）の下方調整（ＸｄＢ）後に、以下の式に従って、ピコＲＳＲＰがサーバＲＳＲＰを超える場合には、ピコ識別（ＩＤ）を報告するために、低モビリティＵＥにための測定報告が構成され得る。
【数３】
2016503272.tif 000005
【００６９】
処理がブロック７０４からブロック７０６に進む。当業者は、サーバＲＳＲＰの下方調整をピコＲＳＲＰの上方調整で置き換えること、またはＸｄＢしきい値に対するサーバＲＳＲＰおよびピコＲＳＲＰの比較の結果を評価することなどの、同等の評価手順を容易に認識されよう。
【００７０】
[0078]ブロック７０６において、任意のＵＥがピコＩＤを報告したか否かの決定が行われ得る。ピコＩＤを報告するＵＥはピコセルの範囲内にあり、一方、ピコセルの範囲外にあるＵＥはピコＩＤを報告しないことは理解されたい。ブロック７０６において、ＵＥがピコＩＤを報告しなかったと決定するのに応答して、処理がブロック７０８に進むことができる。そうでない場合には、処理はブロック７１４に進むことができる。
【００７１】
[0079]ブロック７０８において、ピコＣＩＯ、ＸｄＢが、以下の式に従って、増分量（ΔｄＢ）だけ上方に調整され得る。
【数４】
2016503272.tif 000006
【００７２】
ピコＣＩＯをこのように増加させることは、ピコセル範囲が徐々に拡大することをもたらす。処理がブロック７０８からブロック７１０に進む。
【００７３】
[0080]ブロック７１０において、ピコＣＩＯ、ＸｄＢが、以下の式に従って、ピコＣＩＯのための最大値（ＸｄＢ  ＭＡＸ）に等しいか否かの決定が行われ得る。
【数５】
2016503272.tif 000007
【００７４】
ブロック７１０における評価の返された結果が真である場合には、処理がブロック７１２に進むことができる。そうでない場合には、処理はブロック７０４に戻ることができる。当業者は、ピコＣＩＯがしきい値を超えるか否かを決定するなどの同等の評価手順を容易に認識されよう。
【００７５】
[0081]ブロック７１２において、負荷バランシングエンティティに、ＵＥがピコセルの範囲内にないことに起因して試行が失敗したという通知が送信され得る。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック７１２から、ブロック７００のような、そのプロセスの別の時点に戻ることができる。
【００７６】
[0082]ブロック７１４において、マクロセルは、ピコセルＩＤを報告するＵＥの中から選択された１つまたは複数のＵＥの、そのピコセルへのハンドオーバを要求することができる。この選択はランダムに行うことができるか、またはピコセルＩＤを報告するＵＥの中の、最も高いトラフィック負荷を示すＵＥを優先的にターゲットにすることができる。処理がブロック７１４からブロック７１６に進むことができる。
【００７７】
[0083]ブロック７１６において、ハンドオーバ要求が許可されたか否かの決定が行われ得る。この決定は、ハンドオーバ要求に応答してメッセージを受信することを含むことができる。ブロック７１６において、ハンドオーバ要求が許可されたと決定するのに応答して、処理がブロック７１８に進むことができる。そうでない場合には、処理がブロック７２０に進むことができる。
【００７８】
[0084]ブロック７１８において、マクロセルは、ＵＥにハンドオーバコマンドを送信し、ピコセルから負荷情報を要求することができる。マクロセルはさらに、負荷バランシングエンティティにハンドオーバ成功を報告することができる。そのような報告によって、負荷バランシングエンティティは、マクロクラスタ内のさらなる負荷バランシングをより迅速に進めることができるようになる場合がある。処理がブロック７１８からブロック７２２に進むことができる。
【００７９】
[0085]ブロック７２０において、マクロセルは、負荷バランシングエンティティに、ハンドオーバ要求拒否に起因して試行が失敗したという通知を送信することができる。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック７２０からブロック７２２に進むことができる。
【００８０】
[0086]ブロック７２２において、必要に応じて、オールモストブランクサブフレーム（ＡＢＳ：almost blank subframes）が調整され得る。ＡＢＳ調整は、本開示の負荷バランシング技法を補うものとして使用され得る負荷バランシング技法である。当業者は、ＡＢＳ調整が必要であるか否かを決定する方法、およびＡＢＳを調整する方法を容易に認識および理解されよう。処理が、ブロック７２２から、ブロック７００のような、そのプロセス内の以前の時点に戻ることができる。
【００８１】
[0087]ここで図８を参照すると、本開示による、ピコセルによって実行される例示的なプロセスが、マクロセルまたは負荷バランシングエンティティのいずれかに、ピコセルに関する、リソースブロック利用率、サブフレーム利用率および／または無線リソース制御（ＲＲＣ）接続数のような、ピコセル負荷を報告することによって、ブロック８００において開始することができる。また、ブロック８００は、負荷バランシングエンティティによって送信されたピコ／マクロセルオフロードインジケータを監視することも含むことができる。処理がブロック８００からブロック８０２に進むことができる。
【００８２】
[0088]ブロック８０２において、ピコ／マクロ負荷バランシングインジケータを受信することなどによって、ピコ／マクロ負荷バランシングが指示されるか否かの決定が行われ得る。ブロック８０２において、ピコ／マクロ負荷バランシングが指示されると決定するのに応答して、処理がブロック８０４に進むことができる。そうでない場合には、処理はブロック８００に戻ることができる。
【００８３】
[0089]ブロック８０４において、ピコＣＩＯによるサーバ無線信号受信電力（ＲＳＲＰ）の上方調整（ＸｄＢ）後に、以下の式に従って、マクロＲＳＲＰがサーバＲＳＲＰを超える場合には、マクロ識別（ＩＤ）を報告するために、低モビリティＵＥのための測定報告が構成され得る。
【数６】
2016503272.tif 000008
【００８４】
処理がブロック８０４からブロック８０６に進むことができる。当業者は、サーバＲＳＲＰの上方調整をマクロＲＳＲＰの下方調整で置き換えること、またはＸｄＢしきい値に対するサーバＲＳＲＰおよびマクロＲＳＲＰの比較の結果を評価することなどの、同等の評価手順を容易に認識されよう。
【００８５】
[0090]ブロック８０６において、任意のＵＥがマクロＩＤを報告したか否かの決定が行われ得る。マクロＩＤを報告するＵＥはマクロセルの範囲内にあると見なされ、一方、マクロセルの範囲外にあると見なされるＵＥはマクロＩＤを報告しないことは理解されたい。しかしながら、ピコセルのセル範囲が縮小されたなら、ＵＥのうちの１つまたは複数がマクロセルの範囲内にあると見なされる場合があることも事実である場合がある。ブロック８０６において、ＵＥがマクロＩＤを報告しなかったと決定するのに応答して、処理がブロック８０８に進むことができる。そうでない場合には、処理がブロック８１４に進むことができる。
【００８６】
[0091]ブロック８０８において、ピコＣＩＯ、ＸｄＢが、以下の式に従って、増分量（ΔｄＢ）だけ下方に調整され得る。
【数７】
2016503272.tif 000009
【００８７】
ピコＣＩＯをこのように減少させることは、ピコセル範囲を徐々に縮小することをもたらす。処理がブロック８０８からブロック８１０に進むことができる。
【００８８】
[0092]ブロック８１０において、ピコＣＩＯ、ＸｄＢが、以下の式に従って、ピコＣＩＯのための最小値（ＸｄＢ  ＭＩＮ）に等しいか否かの決定が行われ得る。
【数８】
2016503272.tif 000010
【００８９】
ブロック８１０における評価の返された結果が真である場合には、処理がブロック８１２に進むことができる。そうでない場合には、処理はブロック８０４に戻ることができる。当業者は、ピコＣＩＯがしきい値を下回るか否かを決定するなどの同等の評価手順を容易に認識されよう。
【００９０】
[0093]ブロック８１２において、負荷バランシングエンティティに、ＵＥがマクロセルの範囲内にないことに起因して試行が失敗したという通知が送信され得る。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック８１２から、ブロック８００のような、そのプロセスの別の時点に戻ることができる。
【００９１】
[0094]ブロック８１４において、ピコセルは、マクロセルＩＤを報告するＵＥの中から選択された１つまたは複数のＵＥのマクロセルへのハンドオーバを要求することができる。この選択はランダムに行うことができるか、またはマクロセルＩＤを報告するＵＥの中の、最も高いトラフィック負荷を示すＵＥを優先的にターゲットにすることができる。処理がブロック８１４からブロック８１６に進むことができる。
【００９２】
[0095]ブロック８１６において、ハンドオーバ要求が許可されたか否かの決定が行われ得る。この決定は、ハンドオーバ要求に応答してメッセージを受信することを含むことができる。ブロック８１６において、ハンドオーバ要求が許可されたと決定するのに応答して、処理がブロック８１８に進むことができる。そうでない場合には、処理がブロック８２０に進むことができる。
【００９３】
[0096]ブロック８１８において、ピコセルは、ＵＥにハンドオーバコマンドを送信することができる。マクロセルはさらに、負荷バランシングエンティティにハンドオーバ成功を報告することができる。そのような報告によって、負荷バランシングエンティティは、マクロクラスタ内のさらなる負荷バランシングをより迅速に進めることができるようになる場合がある。処理がブロック８１８からブロック８００に戻ることができる。
【００９４】
[0097]ブロック８２０において、ピコセルは、負荷バランシングエンティティに、ハンドオーバ要求拒否に起因して試行が失敗したという通知を送信することができる。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック８２０からブロック８００に戻ることができる。
【００９５】
[0098]ここで図９を参照すると、本開示による、マクロセルによって実行される例示的なプロセスが、負荷バランシングエンティティに、マクロクラスタ内のマクロセルおよび各ピコセルに関する、リソースブロック利用率、サブフレーム利用率および／または無線リソース制御（ＲＲＣ）接続数のような、マクロおよび／またはピコセル負荷を報告することによって、ブロック９００において開始することができる。ブロック９００はさらに、隣接セル負荷を監視することを含むことができる。また、ブロック９００は、負荷バランシングエンティティによって送信されるマクロ／マクロセルオフロードインジケータを監視することも含むことができる。処理がブロック９００からブロック９０２に進むことができる。
【００９６】
[0099]ブロック９０２において、隣接マクロセルを識別するマクロ／マクロ負荷バランシングインジケータを受信することなどによって、マクロ／マクロ負荷バランシングが指示されるか否かの決定が行われ得る。ブロック９０２において、マクロ／マクロ負荷バランシングが指示されると決定するのに応答して、処理がブロック９０４に進むことができる。そうでない場合には、処理がブロック９２２に進むことができる。
【００９７】
[00100]ブロック９０４において、隣接マクロＣＩＯによるサーバ無線信号受信電力（ＲＳＲＰ）の下方調整（ＸｄＢ）後に、以下の式に従って、隣接マクロＲＳＲＰがサーバＲＳＲＰを超える場合には、隣接マクロ識別（ＩＤ）を報告するために、低モビリティＵＥのための測定報告が構成され得る。
【数９】
2016503272.tif 000011
【００９８】
処理がブロック９０４からブロック９０６に進むことができる。当業者は、サーバＲＳＲＰの下方調整を隣接ＲＳＲＰの上方調整で置き換えること、またはＸｄＢしきい値に対するサーバＲＳＲＰおよび隣接ＲＳＲＰの比較の結果を評価することなどの、同等の評価手順を容易に認識されよう。
【００９９】
[00101]ブロック９０６において、任意のＵＥが隣接マクロＩＤを報告したか否かの決定が行われ得る。隣接マクロＩＤを報告するＵＥは隣接マクロセルの範囲内にあると見なされ、一方、隣接マクロセルの範囲外にあると見なされるＵＥはマクロＩＤを報告しないことは理解されたい。しかしながら、隣接マクロセルのセル範囲が拡大されたなら、ＵＥのうちの１つまたは複数が隣接マクロセルの範囲内にあると見なされる場合があることも事実である場合がある。ブロック９０６において、ＵＥが隣接マクロＩＤを報告しなかったと決定するのに応答して、処理がブロック９０８に進むことができる。そうでない場合には、処理がブロック９１４に進むことができる。
【０１００】
[00102]ブロック９０８において、隣接マクロＣＩＯ、ＸｄＢが、以下の式に従って、増分量（ΔｄＢ）だけ上方に調整され得る。
【数１０】
2016503272.tif 000012
【０１０１】
隣接マクロＣＩＯをこのように増加させることは、隣接マクロセル範囲を徐々に拡大することをもたらす。処理がブロック９０８からブロック９１０に進むことができる。
【０１０２】
[00103]ブロック９１０において、隣接マクロＣＩＯ、ＸｄＢが、以下の式に従って、マクロＣＩＯのための最大値（ＸｄＢ  ＭＩＭ）に等しいか否かの決定が行われ得る。
【数１１】
2016503272.tif 000013
【０１０３】
ブロック９１０における評価の返された結果が真である場合には、処理がブロック９１２に進むことができる。そうでない場合には、処理がブロック９０４に進むことができる。当業者は、隣接マクロＣＩＯがしきい値を超えるか否かを決定するなどの同等の評価手順を容易に認識されよう。
【０１０４】
[00104]ブロック９１２において、負荷バランシングエンティティに、ＵＥが隣接マクロセルの範囲内にないことに起因して試行が失敗したという通知が送信され得る。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック９１２から、ブロック９００のような、そのプロセスの別の時点に戻ることができる。
【０１０５】
[00105]ブロック９１４において、マクロセルは、隣接マクロセルＩＤを報告するＵＥの中から選択された１つまたは複数のＵＥの隣接マクロセルへのハンドオーバを要求することができる。この選択はランダムに行うことができるか、または隣接マクロセルＩＤを報告するＵＥの中の、最も高いトラフィック負荷を示すＵＥを優先的にターゲットにすることができる。処理がブロック９１４からブロック９１６に進むことができる。
【０１０６】
[00106]ブロック９１６において、ハンドオーバ要求が許可されたか否かの決定が行われ得る。この決定は、ハンドオーバ要求に応答してメッセージを受信することを含むことができる。ブロック９１６において、ハンドオーバ要求が許可されたと決定するのに応答して、処理がブロック９１８に進むことができる。そうでない場合には、処理がブロック９２０に進むことができる。
【０１０７】
[00107]ブロック９１８において、マクロセルは、ＵＥにハンドオーバコマンドを送信することができる。マクロセルはさらに、負荷バランシングエンティティにハンドオーバ成功を報告することができる。そのような報告によって、負荷バランシングエンティティは、マクロクラスタのさらなる負荷バランシングをより迅速に進めることができるようになる場合がある。処理がブロック９１８からブロック９２２に進むことができる。
【０１０８】
[00108]ブロック９２０において、マクロセルは、負荷バランシングエンティティに、ハンドオーバ要求拒否に起因して試行が失敗したという通知を送信することができる。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック９２０からブロック９２２に進むことができる。
【０１０９】
[00109]ブロック９２２において、必要に応じて、ＡＢＳが調整され得る。ＡＢＳ調整は、本開示の負荷バランシング技法を補うものとして使用され得る負荷バランシング技法である。当業者は、ＡＢＳ調整が必要であるか否かを決定する方法、およびＡＢＳを調整する方法を容易に認識および理解されよう。処理が、ブロック９２２から、ブロック９００のような、そのプロセス内の以前の時点に戻ることができる。
【０１１０】
[00110]ここで図１０を参照すると、本開示による、ピコセルによって実行される例示的なプロセスが、マクロセルまたは負荷バランシングエンティティのいずれかに、ピコセルに関する、リソースブロック利用率、サブフレーム利用率および／または無線リソース制御（ＲＲＣ）接続数のような、ピコセル負荷を報告することによって、ブロック１０００において開始することができる。また、ブロック１０００は、負荷バランシングエンティティによって送信されたピコ／ピコセルオフロードインジケータを監視することも含むことができる。処理がブロック１０００からブロック１００２に進むことができる。
【０１１１】
[00111]ブロック１００２において、隣接ピコセルを識別するピコ／ピコ負荷バランシングインジケータを受信することなどによって、ピコ／ピコ負荷バランシングが指示されるか否かの決定が行われ得る。ブロック１００２において、ピコ／ピコ負荷バランシングが指示されると決定するのに応答して、処理がブロック１００４に進むことができる。そうでない場合には、処理はブロック１０００に戻ることができる。
【０１１２】
[00112]ブロック１００４において、隣接ピコＣＩＯによるサーバ無線信号受信電力（ＲＳＲＰ）の下方調整（ＸｄＢ）後に、以下の式に従って、隣接ピコＲＳＲＰがサーバＲＳＲＰを超える場合には、隣接ピコ識別（ＩＤ）を報告するために、低モビリティＵＥための測定報告が構成され得る。
【数１２】
2016503272.tif 000014
【０１１３】
処理がブロック１００４からブロック１００６に進むことができる。当業者は、サーバＲＳＲＰの下方調整を隣接ＲＳＲＰの上方調整で置き換えること、またはＸｄＢしきい値に対するサーバＲＳＲＰおよび隣接ＲＳＲＰの比較の結果を評価することなどの、同等の評価手順を容易に認識されよう。
【０１１４】
[00113]ブロック１００６において、任意のＵＥが隣接ピコＩＤを報告したか否かの決定が行われ得る。隣接ピコＩＤを報告するＵＥは隣接ピコセルの範囲内にあり、一方、隣接ピコセルの範囲外にあるＵＥは隣接ピコＩＤを報告しないことは理解されたい。ブロック１００６において、ＵＥが隣接ピコＩＤを報告しなかったと決定するのに応答して、処理がブロック１００８に進むことができる。そうでない場合には、処理がブロック１０１４に進むことができる。
【０１１５】
[00114]ブロック１００８において、隣接ピコＣＩＯ、ＸｄＢが、以下の式に従って、増分量（ΔｄＢ）だけ上方に調整され得る。
【数１３】
2016503272.tif 000015
【０１１６】
隣接ピコＣＩＯをこのように増加させることは、隣接ピコセル範囲を徐々に拡大することをもたらす。処理がブロック１００８からブロック１０１０に進むことができる。
【０１１７】
[00115]ブロック１０１０において、ピコＣＩＯ、ＸｄＢが、以下の式に従って、ピコＣＩＯのための最大値（ＸｄＢ  ＭＡＸ）に等しいか否かの決定が行われ得る。
【数１４】
2016503272.tif 000016
【０１１８】
ブロック１０１０においてピコＣＩＯのための最小値に達したと決定するのに応答して、処理がブロック１０１２に進むことができる。そうでない場合には、処理はブロック１００４に戻ることができる。当業者は、隣接ピコＣＩＯがしきい値を超えたか否かを決定するなどの同等の評価手順を容易に認識されよう。
【０１１９】
[00116]ブロック１０１２において、負荷バランシングエンティティに、ＵＥが隣接ピコセルの範囲内にないことに起因して試行が失敗したという通知が送信され得る。この通知によって、負荷バランシングエンティティは、ハンドオーバ失敗に起因する失敗と、ＵＥが隣接ピコセルの範囲内にないことに起因する失敗とを区別できるようになる。また、報告された失敗によって、負荷バランシングエンティティは、同じ隣接ピコセルに繰返しハンドオーバを試みるのを回避できるようになる。処理がブロック１０１２から、ブロック１０００のような、そのプロセスの別の時点に戻ることができる。
【０１２０】
[00117]ブロック１０１４において、ピコセルは、隣接ピコセルＩＤを報告するＵＥの中から選択された１つまたは複数のＵＥの隣接ピコセルへのハンドオーバを要求することができる。この選択はランダムに行うことができるか、または隣接ピコセルＩＤを報告するＵＥの中の、最も高いトラフィック負荷を示すＵＥを優先的にターゲットにすることができる。処理がブロック１０１４からブロック１０１６に進むことができる。
【０１２１】
[00118]ブロック１０１６において、ハンドオーバ要求が許可されたか否かの決定が行われ得る。この決定は、ハンドオーバ要求に応答してメッセージを受信することを含むことができる。ブロック１０１６において、ハンドオーバ要求が許可されたと決定するのに応答して、処理がブロック１０１８に進むことができる。そうでない場合には、処理がブロック１０２０に進むことができる。
【０１２２】
[00119]ブロック１０１８において、ピコセルは、ＵＥにハンドオーバコマンドを送信することができる。マクロセルはさらに、負荷バランシングエンティティにハンドオーバ成功を報告することができる。そのような報告によって、負荷バランシングエンティティは、マクロクラスタ内のさらなる負荷バランシングをより迅速に進めることができるようになる場合がある。処理がブロック１０１８からブロック１０００に戻ることができる。
【０１２３】
[00120]ブロック１０２０において、ピコセルは、負荷バランシングエンティティに、ハンドオーバ要求拒否に起因して試行が失敗したという通知を送信することができる。この通知によって、負荷バランシングエンティティは、ハンドオーバ失敗に起因する失敗と、ＵＥがピコセルの範囲内にないことに起因する失敗とを区別できるようになる。また、報告された失敗によって、負荷バランシングエンティティは、同じピコセルに繰返しハンドオーバを試みるのを回避できるようになる。処理がブロック１０２０からブロック１０００に戻ることができる。
【０１２４】
[00121]図１１は、ヘテロジニアスネットワーク内のセル間の負荷バランシングを実行するためのプロセスを実施するために実行される例示的なブロックを示す。ブロック１１００において、ヘテロジニアスネットワーク内の複数のマクロクラスタ内の負荷が測定される。たとえば、ｅＮＢ１１０（図３）のようなネットワークエンティティ内、または図４を参照すると、複数の個別ネットワークエンティティから構成され、そのうちの１つがｅＮＢ１１０とすることもできる個別エンティティまたは仮想エンティティとすることができるＨｅｔＮｅｔ負荷バランシングエンティティ４１２内のＳＯＮ機能が、複数のマクロクラスタとの種々のマクロセルおよびピコセルの負荷を測定する。たとえば、ＳＯＮ機能を実行するか、またはＨｅｔＮｅｔ負荷バランシングエンティティ４１２の一部として、または個別のＨｅｔＮｅｔ負荷バランシングエンティティ４１２としてのｅＮＢ１１０が、アンテナ３３４ａ〜ｔと、変調器／復調器３３２ａ〜ｔと、ＭＩＭＯ検出器３３６と、受信プロセッサ３３８とを介して、複数のマクロクラスタ内の種々のマクロセルおよびピコセルからの送信を受信することができる。処理がブロック１１００からブロック１１０２に進む。そのような動作および構成要素の組合せは、ヘテロジニアスネットワーク内の複数のマクロクラスタ内の負荷を測定するための手段を備えることができる。
【０１２５】
[00122]ブロック１１０２において、不均衡負荷条件を経験している少なくとも１つのマクロクラスタが識別される。ｅＮＢ１１０およびＨｅｔＮｅｔ負荷バランシングエンティティ４１２の例を参照すると、負荷報告が複数のマクロクラスタの種々のマクロセルおよびピコセルから受信されると、不均衡負荷条件を経験している場合があるマクロクラスタを識別するために、コントローラ／プロセッサ３４０の制御下で、比較が実行される。コントローラ／プロセッサ３４０は、メモリ３４２内に記憶されるコードを実行して、式（１）に示されるような、マクロ／マクロ、マクロ／ピコ、ピコ／ピコ、またはピコ／マクロからの負荷を比較するか否かの決定を実行する。処理がブロック１１０２からブロック１１０４に進む。そのような動作および構成要素の組合せは、不均衡負荷条件を経験している少なくとも１つのマクロクラスタを識別するための手段を備えることができる。
【０１２６】
[00123]ブロック１１０４において、少なくとも１つのマクロクラスタ内の１つまたは複数のセルにバランシングインジケータが送信される。ｅＮＢ１１０およびＨｅｔＮｅｔ負荷バランシングエンティティ４１２の例を参照すると、不均衡負荷条件の決定に基づいて、ｅＮＢ１１０またはＨｅｔＮｅｔ負荷バランシングエンティティ４１２は、コントローラ／プロセッサ３４０の制御下で、バランシングインジケータを生成し、対応するマクロクラスタ内の１つまたは複数のセルに送信することになる。バランシングインジケータは、送信プロセッサ３２０、ＴＸ  ＭＩＭＯプロセッサ３３０、および変調器／復調器３３２ａ〜ｔによって処理され、アンテナ３３４ａ〜ｔを介してセルに送信されることになる。そのような動作および構成要素の組合せは、少なくとも１つのマクロクラスタ内の１つまたは複数のセルにバランシングインジケータを送信するための手段を備えることができる。
【０１２７】
[00124]図１２は、ヘテロジニアスネットワーク内で負荷バランシングを実行するためのプロセスを実施するために実行される例示的なブロックを示す。ブロック１２００において、マクロクラスタ内のセル負荷が報告される。マクロクラスタ内のセルは、１つまたは複数のマクロセルまたはピコセルを含むことができる。図３は、マクロｅＮＢまたはピコｅＮＢのいずれかを表すようなｅＮＢ１１０を示す。したがって、ｅＮＢ１１０は、ブロック１２００の動作において、コントローラ／プロセッサ３４０の制御下でその負荷を監視し、ＳＯＮ機能を実行するエンティティ、またはＨｅｔＮｅｔ負荷バランシングエンティティ４１２のような別のエンティティのいずれかにセル負荷指示を送信する。ＥＮＢ１１０は、送信プロセッサ３２０、ＴＸ  ＭＩＭＯプロセッサ３３０、および変調器／復調器３３２ａ〜ｔ、およびアンテナ３３４ａ〜ｔを用いてセル負荷指示を送信する。処理がブロック１２００からブロック１２０２に進む。そのような動作および構成要素の組合せは、マクロクラスタ内のセル負荷を報告するための手段を備えることができる。
【０１２８】
[00125]ブロック１２０２において、１つまたは複数の負荷バランシングインジケータに関する監視が実行される。例示的なセル、ｅＮＢ１１０を参照すると、ｅＮＢ１１０は、アンテナ３３４ａ〜ｔと、変調器／復調器３３２ａ〜ｔと、ＭＩＭＯ検出器３３６と、受信プロセッサ３３８とを介して、複数のマクロクラスタ内の種々のマクロセルおよびピコセルからの送信を受信する。コントローラ／プロセッサ３４０は、そのような負荷バランシングインジケータを検出するために、受信された送信を監視する。処理がブロック１２０２からブロック１２０４に進む。そのような動作および構成要素の組合せは、１つまたは複数のバランシングインジケータを監視するための手段を備えることができる。
【０１２９】
[00126]ブロック１２０４において、１つまたは複数の低モビリティＵＥの、そのセルへのハンドオーバ、もしくはそのセルからのハンドオーバのうちの少なくとも１つが成し遂げられ得るまで、または個別セルオフセットの値がさらなる調整を禁止する少なくとも１つのしきい値に達したとの決定が行われるまで、セルのための個別セルオフセットの値を繰返し調整することによって、バランシングインジケータへの応答が行われる。例示的なセル、ｅＮＢ１１０を参照すると、コントローラ／プロセッサ３４０は、メモリ３４２内に記憶されるコードを実行して、たとえば、式（３）〜（５）の処理を含む、たとえば、図７においてブロック７０４〜７１８で示される機能を実行することができる。そのような動作および構成要素の組合せは、１つまたは複数の低モビリティＵＥの、そのセルへの、もしくはそのセルからの少なくとも１つのハンドオーバが成し遂げられ得るまで、または個別セルオフセットの値がさらなる調整を禁止する少なくとも１つのしきい値に達したとの決定が行われるまで、セルのための個別セルオフセットの値を繰返し調整することによって、バランシングインジケータに応答するための手段を備えることができる。
【０１３０】
[00127]情報および信号は様々な異なる技術および技法のうちのいずれかを使用して表すことができることを、当業者であれば理解されよう。たとえば、上記の説明全体にわたって参照され得るデータ、命令、コマンド、情報、信号、ビット、シンボル、およびチップは、電圧、電流、電磁波、磁界もしくは磁性粒子、光場もしくは光子、またはそれらの任意の組合せによって表され得る。
【０１３１】
[00128]さらに、本明細書の開示に関して説明された種々の例示的な論理ブロック、モジュール、回路、およびアルゴリズムステップは、電子ハードウェア、コンピュータソフトウェア、またはその両方の組合せとして実現され得ることを、当業者であれば理解されよう。ハードウェアとソフトウェアのこの互換性を明確に示すために、種々の例示的な構成要素、ブロック、モジュール、回路、およびステップが、上記では概してそれらの機能に関して説明されてきた。そのような機能がハードウェアとして実現されるか、ソフトウェアとして実現されるかは、特定の適用例およびシステム全体に課された設計制約によって決まる。当業者は、説明された機能を特定の適用例ごとに様々な方法で実現できるが、そのような実現の決定は、本開示の範囲からの逸脱を生じるものと解釈されるべきではない。
【０１３２】
[00129]本明細書の開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、または本明細書で説明した機能を実行するように設計されたそれらの任意の組合せを用いて実現または実行され得る。汎用プロセッサはマイクロプロセッサであり得るが、代替形態では、プロセッサは、任意の従来のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実現され得る。
【０１３３】
[00130]本明細書の開示に関して説明された方法またはアルゴリズムのステップは、直接ハードウェアで具現されるか、プロセッサによって実行されるソフトウェアモジュールで具現されるか、またはその２つの組合せで具現され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体内に存在することができる。例示の記憶媒体は、その記憶媒体からプロセッサが情報を読み取り、その記憶媒体にプロセッサが情報を書き込むことができるようにプロセッサに結合される。代替形態では、記憶媒体はプロセッサと一体化され得る。プロセッサおよび記憶媒体はＡＳＩＣ内に存在することもできる。ＡＳＩＣはユーザ端末中に存在することができる。代替形態では、プロセッサおよび記憶媒体は、ユーザ端末内の個別構成要素として存在することができる。
【０１３４】
[00131]１つまたは複数の例示的な設計では、説明された機能は、ハードウェア、ソフトウェア、ファームウェア、または任意のそれらの組合せにおいて実現される場合がある。ソフトウェアで実現される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の入手可能な媒体とすることができる。例として、限定はしないが、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され、汎用もしくは専用コンピュータ、または汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１３５】
[00132]本開示についての以上の説明は、あらゆる当業者が本開示を実施または使用できるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2016503272.tif 000017
【図２】
2016503272.tif 000018
【図３】
2016503272.tif 000019
【図４】
2016503272.tif 000020
【図５】
2016503272.tif 000021
【図６】
2016503272.tif 000022
【図７】
2016503272.tif 000023
【図８】
2016503272.tif 000024
【図９】
2016503272.tif 000025
【図１０】
2016503272.tif 000026
【図１１】
2016503272.tif 000027
【図１２】
2016503272.tif 000028
【国際調査報告】
2016503272.tif 000029
2016503272.tif 000030